(57)【特許請求の範囲】
【請求項１】
コネクタハウジングに複数の端子収容室を形成し、この各端子収容室に電線を接続した端子を収容自在にすると共に、該各端子収容室と前記電線とをゴム栓でシール自在にした防水コネクタにおいて、
前記コネクタハウジングを、前記各端子収容室をそれぞれ形成すると共に、複数の合体自在な分割インナユニットを備えたインナハウジングと、このインナハウジングを内部に嵌め込むアウタハウジングと、これらインナハウジングとアウタハウジングとの間に介在され、該インナハウジングの各端子収容室に収容された端子及び前記ゴム栓を保持するスペーサとで構成し、前記アウタハウジングの前記各端子収容室に対向する一壁部に電線挿通孔を形成すると共に、該一壁部の内側の該各電線挿通孔に対向する位置に前記ゴム栓が収容されるゴム栓収容凹部をそれぞれを形成する一方、前記スペーサの前記アウタハウジングの各電線挿通孔に対向する位置に電線挿通孔をそれぞれ形成し、かつ前記各ゴム栓収容凹部の入口側にテーパ面を形成すると共に、前記スペーサの各電線挿通孔の外側にゴム栓保持部を形成し、前記アウタハウジングの各電線挿通孔と前記ゴム栓の電線挿通孔及び前記スペーサの各電線挿通孔を貫通した前記電線を前記インナハウジングの各分割インナユニットの各端子収容室に収容された前記端子にそれぞれ接続自在にすると共に、前記各ゴム栓収容凹部に前記ゴム栓を収容する前に該各ゴム栓収容凹部のテーパ面と前記スペーサのゴム栓保持部との間に該ゴム栓を挟み込み自在にし、前記各分割インナユニットを前記スペーサ内に収容して合体させた後で前記ゴム栓を前記各ゴム栓収容凹部に収容自在にしたことを特徴とする防水コネクタ。
【請求項２】
請求項１記載の防水コネクタであって、
前記各分割インナユニットのうちの前記スペーサ側に位置する各分割インナユニットに、前記アウタハウジングの各係止部に係止される係止部をそれぞれ設け、かつ前記各分割インナユニットのうちの中間に位置する分割インナユニットに、その両側に位置する各分割インナユニットの各係止部に係止される係止部をそれぞれ設けたことを特徴とする防水コネクタ。
【請求項３】
コネクタハウジングの複数の端子収容室に電線を接続した端子をそれぞれ収容し、この各端子収容室と各電線とをゴム栓によりシールして防水コネクタを組み付けるようにした該防水コネクタの組付方法において、
前記コネクタハウジングの外側を成すアウタハウジングの一壁部の内側の各ゴム栓収容凹部のテーパ面とスペーサの一壁部の各電線挿通孔の外側のゴム栓保持部とで前記各ゴム栓を挟み込むようにして該スペーサを前記アウタハウジングの内部に嵌め込んで仮係止させ、次に、前記アウタハウジングの一壁部の各電線挿通孔と前記各ゴム栓の電線挿通孔及び前記スペーサの一壁部の各電線挿通孔に前記各電線を外側から貫通させ、次に、この各電線を前記コネクタハウジングの内側を成すインナハウジングの複数の分割インナユニットの各端子収容室に収容した各端子にそれぞれ接続し、次に、前記スペーサの内部に前記各分割インナユニットを順次嵌め込んで該スペーサの内部で前記インナハウジングを合体形成し、次に、このスペーサを前記アウタハウジングの内部に本係止させて該スペーサの一壁部の各ゴム栓保持部で前記各ゴム栓を前記各ゴム栓収容凹部に押圧収容すると共に、前記各分割インナユニットの各係止部を前記アウタハウジングの各係止部にそれぞれ係止することにより防水コネクタの組み付けを完了するようにしたことを特徴とする防水コネクタの組付方法。
【発明の詳細な説明】
【０００１】
【発明の属する技術分野】
本発明は、コネクタハウジングと端子を接続した複数の電線との防水性を向上させた小型で多極の防水コネクタ及び該防水コネクタの組付方法に関する。
【０００２】
【先行技術】
この種の防水コネクタ及び該防水コネクタの組付方法を、本出願人は特願平１０−１６２５２１号において出願した。これを、図６〜図８によって具体的に説明すると、防水コネクタ１０′のコネクタハウジング１１は、複数の端子収容室１３を一体形成した合成樹脂製のインナハウジング１２と、このインナハウジング１２を内部に嵌め込む合成樹脂製のアウタハウジング１７と、これらインナハウジング１２とアウタハウジング１７との間に介在され、該インナハウジング１２の各端子収容室１３に収容された雌端子（端子）１４を保持する合成樹脂製のスペーサ２８とで構成されている。
【０００３】
図６，図７に示すように、インナハウジング１２は上下面の後側がそれぞれ開口した箱部１２ａを有していて、中央の水平壁１２ｂと仕切壁を兼ねた上下の各垂直側壁１２ｃとで形成される空間内に上記各端子収容室１３を形成してある。そして、この各端子収容室１３内に雌端子１４が収容されるようになっている。また、箱部１２ａの上下面の両側及び中央には係止爪（係止部）１５をそれぞれ一体突出形成してあると共に、その両側中央の前端には図示しないフランジ部をそれぞれ一体突出形成してある。尚、箱部１２ａの前壁の各端子収容室１３に対向する位置には図示しない相手側コネクタの雄端子が挿通する矩形の挿通孔１２ｄを形成してある。さらに、雌端子１４の箱部１４ａの後部の両側板部には各一対の圧接刃１４ｂ，１４ｂを折り曲げ形成してある。
【０００４】
図６，図７に示すように、アウタハウジング１７は、略四角筒状の内壁部１７ａと、この内壁部１７ａを内包する略四角筒状の外壁部１７ｂと、これら内，外壁部１７ａ，１７ｂの後部を連結した底壁部（一壁部）１７ｃとで正面側が開口した二重の箱状になっている。この底壁部１７ｃの中央は厚肉になっていて、その厚肉部の前側の各端子収容室１３に対向する位置には、防水ゴム栓１８が圧入等により収容される大径で断面円形のゴム栓収容凹部１９をそれぞれ形成してあると共に、該厚肉部の後側には電線２０が貫通する小径で断面円形の電線挿通孔２１を対応するゴム栓収容凹部１９に連通するようにそれぞれ形成してある。
【０００５】
また、アウタハウジング１７の内壁部１７ａの上下壁の前両側には、インナハウジング１２の箱部１２ａの上下面の両側の各係止爪１５が係脱される矩形の係止孔（係止部）２２をそれぞれ形成してあると共に、該内壁部１７ａの上下壁の前側中央には、インナハウジング１２の箱部１２ａの上下面の中央の各係止爪１５が係脱される矩形で長尺の係止孔（係止部）２３をそれぞれ形成してある。さらに、アウタハウジング１７の内壁部１７ａの外面側の奥には、環状でゴム製の防水パッキン２４を受けるＶ字状のパッキン受部２５を一体突出形成してある。
【０００６】
尚、アウタハウジング１７の内壁部１７ａの内面側の前縁の各係止孔２２，２３に対向する位置には、テーパ面２６をそれぞれ形成してある。また、アウタハウジング１７の外壁部１７ｂの上下壁の前側には、図示しない相手側コネクタの可撓性係止アームが係脱される図示しない係止孔（係止部）をそれぞれ形成してある。
【０００７】
図６，図７に示すように、スペーサ２８は、アウタハウジング１７の内壁部１７ａの内面側に嵌合される略四角筒状の胴体部２８ａと、この胴体部２８ａの前端より後方に折れ曲がるように一体形成され、アウタハウジング１７の内壁部１７ａの外面側に嵌合される略四角筒状の鍔部２８ｂと、上記胴体部２８ａの底壁部（一壁部）２８ｃとで正面側が開口した箱状になっている。
【０００８】
そして、スペーサ２８の胴体部２８ａの内部にインナハウジング１２の箱部１２ａが嵌合されるようになっている。このスペーサ２８の胴体部２８ａの上下壁の内面にはインナハウジング１２の箱部１２ａの後端縁及び各端子収容室１３に収容された雌端子１４の箱部１４ａの後端縁をそれぞれ係止するリブ状で端子脱落防止用の突起２９をそれぞれ一体突出形成してある。
【０００９】
また、スペーサ２８の胴体部２８ａと鍔部２８ｂとの連結部の前側のインナハウジング１２の各係止爪１５に対向する位置には、切欠部３０をそれぞれ形成してある。この上下側の各切欠部３０，３０間のスペーサ２８の胴体部２８ａの上下壁の外面側には、アウタハウジング１７の各係止孔２３に係脱される係止爪（係止部）３２を一体突出形成してある。さらに、スペーサ２８の鍔部２８ｂの先端部は、アウタハウジング１７への嵌合完了時に該アウタハウジング１７の内壁部１７ａのパッキン受部２５に係止したパッキン２４を保持するようになっている。
【００１０】
また、スペーサ２８の底壁部２８ｃのアウタハウジング１７の各電線挿通孔２１に対向する位置には電線挿通孔３３をそれぞれ形成してある。また、スペーサ２８の底壁部２８ｃは、アウタハウジング１７への嵌合完了時に該アウタハウジング１７の底壁部１７ｃの各ゴム栓収容凹部１９に挿入されたゴム栓１８を保持するようになっている。そして、図６に示すように、アウタハウジング１７の各電線挿通孔２１と各ゴム栓１８及びスペーサ２８の各電線挿通孔３３を貫通した各電線２０は、インナハウジング１２の各端子収容室１３に収容された各雌端子１４の一対の圧接刃１４ｂ，１４ｂ間に圧接接続され、各端子収容室１３と各電線２０とは各ゴム栓１８及びパッキン２４によりそれぞれシールされるようになっている。
【００１１】
さらに、アウタハウジング１７の底壁部１７ｃの内側の各ゴム栓収容凹部１９の入口側には逆円錐面（テーパ面）１９ａを形成してある。また、スペーサ２８の底壁部２８ｃの外側の各電線挿通孔３３の回りにはゴム栓押圧部を兼ねた逆円錐面（テーパ面）２８ｄを形成してある。そして、アウタハウジング１７の各ゴム栓収容凹部１９にゴム栓１８を収容する前（アウタハウジング１７の内壁部１７ａ内にスペーサ２８の胴体部２８ａの前側が嵌め込まれた図６に示す仮係止状態の時）に、上記各ゴム栓収容凹部１９の逆円錐面１９ａと上記スペーサ２８の各電線挿通孔３３の回りの逆円錐面２８ｄとの間にゴム栓１８を挟み込み自在にしてある。
【００１２】
また、図８に示すように、電線２０が貫通するゴム栓１８の両端側には、円錐面（テーパ面）１８ａ，１８ａをそれぞれ形成してある。このゴム栓１８の内径Ｒｂ（即ちゴム栓１８の電線挿通孔１８ｂの径）は電線２０の直径Ｒと等しいか大きくなるように設定してある（Ｒｂ≧Ｒ）。さらに、ゴム栓１８の外径Ｒａはゴム栓収容凹部１９の径Ｄよりも大きくなるように形成してあり、ゴム栓収容凹部１９内でシール関係（Ｒａ−Ｒｂ＋Ｒ＞Ｄ）が成立するように設定してある。
【００１３】
尚、防水ゴム栓１８は内，外周面がそれぞれ凹凸状の略円筒状になっていて、内部の電線挿通孔１８ｂに電線２０が隙間なく貫通されるようになっている。
【００１４】
上記構成の防水コネクタ１０′を組み付ける場合には、コネクタハウジング１１の外側を成すアウタハウジング１７の内壁部１７ａのパッキン受部２５に、パッキン２４を予め挿入してセットしておく。そして、アウタハウジング１７の底壁部１７ｃの複数の電線挿通孔２１に電線２０をその外側からそれぞれ貫通させ、次に、各電線２０にゴム栓１８を貫通させた後でスペーサ２８の底壁部２８ｃの各電線挿通孔３３に該各電線２０を外側から貫通させる。
【００１５】
次に、図６に示すように、各ゴム栓１８をアウタハウジング１７の底壁部１７ｃの内側の各ゴム栓収容凹部１９内に収容せずに、該各ゴム栓収容凹部１９の逆円錐面１９ａとスペーサ２８の底壁部２８ｃの各電線挿通孔３３の回りの逆円錐面２８ｄとの間で挟み込むようにしてスペーサ２８の胴体部２８ａの前側をアウタハウジング１７の内壁部１７ａ内に嵌め込んで仮係止させておく。そして、各電線２０をコネクタハウジング１１の内側を成すインナハウジング１２の複数の端子収容室１３に収容した各端子１４の一対の圧接刃１４ｂ，１４ｂに圧接接続させる。
【００１６】
次に、各電線２０をスペーサ２８の底壁部２８ｃとアウタハウジング１７の底壁部１７ｃの各電線挿通孔３３，２１に対して摺動させながら、図７に示すように、スペーサ２８の胴体部２８ａの内部にインナハウジング１２を嵌め込んで該スペーサ２８の胴体部２８ａをアウタハウジング１７の内壁部１７ａ内に完全に嵌め込んで本係止させると、スペーサ２８の底壁部２８ｃの各電線挿通孔３３の回りの逆円錐面２８ｄで各ゴム栓１８を各ゴム栓収容凹部１９内に押圧収容することにより、各ゴム栓１８で各電線２０がシールされた防水コネクタ１０′の組み付けが完了する。このように、インナハウジング１２をアウタハウジング１７の内部にゴム栓１８を介して仮係止状態で嵌合されたスペーサ２８内に嵌め込む際に、ゴム栓１８の圧迫を受けることがないので、電線２０が座屈することなく防水コネクタ１０′がスムーズに組み付けられ、全体の組付作業性がより一段と向上する。
【００１７】
【発明が解決しようとする課題】
前記先行技術の防水コネクタ１０′では、図６に示すように、アウタハウジング１７の各ゴム栓収容凹部１９に収容されていない状態で待機しているゴム栓１８に電線２０を貫通させ、その先で該電線２０をインナハウジング１２の端子収容室１３に収容された雌端子１４に圧接接続し、インナハウジング１２と共に各電線２０をゴム栓１８の電線挿通孔１８ｂ内に摺動移動させながら該インナハウジング１２をスペーサ２８を介して上記アウタハウジング１７の内部に本係止させることで、ゴム栓１８をアウタハウジング１７の各ゴム栓収容凹部１９に押圧収容する構造になっているが、ゴム栓１８と電線２０が摺動されながらセットされる構造であるため、ゴム栓１８の数が多い場合は、各ゴム栓１８と各電線２０の摺動摩擦力の総和が大きくなり、インナハウジング１２とアウタハウジング１７との嵌合荷重が大きくなってワイヤハーネスの製造に支障を来す虞があった。即ち、インナハウジング１２をスペーサ２８を介してアウタハウジング１７側に嵌め込むハウジング嵌合作業時に、ゴム栓１８の数が多い場合には各ゴム栓１８と各電線２０の摺動摩擦による作業負荷（嵌合荷重）が大きくなって防水コネクタ１０′の組付作業性が悪くなる虞があった。
【００１８】
そこで、本発明は、前記した課題を解決すべくなされたものであり、組付作業性の向上を図ることができる多極の防水コネクタ及び該防水コネクタの組付方法を提供することを目的とする。
【００１９】
【課題を解決するための手段】
請求項１の発明は、コネクタハウジングに複数の端子収容室を形成し、この各端子収容室に電線を接続した端子を収容自在にすると共に、該各端子収容室と前記電線とをゴム栓でシール自在にした防水コネクタにおいて、前記コネクタハウジングを、前記各端子収容室をそれぞれ形成すると共に、複数の合体自在な分割インナユニットを備えたインナハウジングと、このインナハウジングを内部に嵌め込むアウタハウジングと、これらインナハウジングとアウタハウジングとの間に介在され、該インナハウジングの各端子収容室に収容された端子及び前記ゴム栓を保持するスペーサとで構成し、前記アウタハウジングの前記各端子収容室に対向する一壁部に電線挿通孔を形成すると共に、該一壁部の内側の該各電線挿通孔に対向する位置に前記ゴム栓が収容されるゴム栓収容凹部をそれぞれを形成する一方、前記スペーサの前記アウタハウジングの各電線挿通孔に対向する位置に電線挿通孔をそれぞれ形成し、かつ前記各ゴム栓収容凹部の入口側にテーパ面を形成すると共に、前記スペーサの各電線挿通孔の外側にゴム栓保持部を形成し、前記アウタハウジングの各電線挿通孔と前記ゴム栓の電線挿通孔及び前記スペーサの各電線挿通孔を貫通した前記電線を前記インナハウジングの各分割インナユニットの各端子収容室に収容された前記端子にそれぞれ接続自在にすると共に、前記各ゴム栓収容凹部に前記ゴム栓を収容する前に該各ゴム栓収容凹部のテーパ面と前記スペーサのゴム栓保持部との間に該ゴム栓を挟み込み自在にし、前記各分割インナユニットを前記スペーサ内に収容して合体させた後で前記ゴム栓を前記各ゴム栓収容凹部に収容自在にしたことを特徴とする。
【００２０】
この防水コネクタでは、電線をスペーサ及びアウタハウジングの各電線挿通孔に対して摺動させてインナハウジングをアウタハウジングの内部に嵌合されたスペーサに嵌め込む際に、アウタハウジングの各ゴム栓収容凹部のテーパ面とスペーサの各電線挿通孔の外側のゴム栓保持部との間に該ゴム栓が挟み込まれた仮係止状態となって、アウタハウジングの各ゴム栓収容凹部にゴム栓が完全に収容される前に電線がスペーサ及びアウタハウジングの各電線挿通孔に対してスムーズに摺動すると共に、インナハウジングが合体自在な複数の分割インナユニットで構成されてゴム栓と電線の摺動摩擦力が分散されるため、ゴム栓の数が多い場合でも各ゴム栓の圧迫による各電線の座屈の発生が防止され、防水コネクタの組付作業性が向上する。即ち、ワイヤハーネスの製造が容易となる。また、スペーサのゴム栓保持部によりゴム栓がアウタハウジングの各ゴム栓収容凹部にスムーズかつ確実に収容されるため、防水コネクタのシール性が向上する。
【００２１】
請求項２の発明は、請求項１記載の防水コネクタであって、各分割インナユニットのうちの前記スペーサ側に位置する各分割インナユニットに、前記アウタハウジングの各係止部に係止される係止部をそれぞれ設け、かつ前記各分割インナユニットのうちの中間に位置する分割インナユニットに、その両側に位置する各分割インナユニットの各係止部に係止される係止部をそれぞれ設けたことを特徴とする。
【００２２】
この防水コネクタでは、各分割インナユニットの合体後、アウタハウジングの内部に嵌め込まれてゴム栓を介して仮係止状態のスペーサを該アウタハウジングの内部に完全に嵌め込んで本係止する際に、アウタハウジングの各ゴム栓収容凹部に対してゴム栓が容易かつ確実に収容されると共に、その本係止状態がスペーサ側の各分割インナユニットの各係止部とアウタハウジングの各係止部との係止により確実に維持されて防水コネクタの組付品質が向上する。
【００２３】
請求項３の発明は、コネクタハウジングの複数の端子収容室に電線を接続した端子をそれぞれ収容し、この各端子収容室と各電線とをゴム栓によりシールして防水コネクタを組み付けるようにした該防水コネクタの組付方法において、前記コネクタハウジングの外側を成すアウタハウジングの一壁部の内側の各ゴム栓収容凹部のテーパ面とスペーサの一壁部の各電線挿通孔の外側のゴム栓保持部とで前記各ゴム栓を挟み込むようにして該スペーサを前記アウタハウジングの内部に嵌め込んで仮係止させ、次に、前記アウタハウジングの一壁部の各電線挿通孔と前記各ゴム栓の電線挿通孔及び前記スペーサの一壁部の各電線挿通孔に前記各電線を外側から貫通させ、次に、この各電線を前記コネクタハウジングの内側を成すインナハウジングの複数の分割インナユニットの各端子収容室に収容した各端子にそれぞれ接続し、次に、前記スペーサの内部に前記各分割インナユニットを順次嵌め込んで該スペーサの内部で前記インナハウジングを合体形成し、次に、このスペーサを前記アウタハウジングの内部に本係止させて該スペーサの一壁部の各ゴム栓保持部で前記各ゴム栓を前記各ゴム栓収容凹部に押圧収容すると共に、前記各分割インナユニットの各係止部を前記アウタハウジングの各係止部にそれぞれ係止することにより防水コネクタの組み付けを完了するようにしたことを特徴とする。
【００２４】
この防水コネクタの組付方法では、インナハウジングを構成する複数の分割インナユニットを、アウタハウジングの内部にゴム栓を介して仮係止状態で嵌合したスペーサに順次嵌め込むようにしたことにより、ゴム栓を多数使用する場合でも、各ゴム栓と各電線の摺動摩擦力が分散され、電線が座屈することなくスムーズに組み付けられて作業負荷（嵌合荷重）が軽減される。これにより、防水性に優れた多極の防水コネクタが簡単かつ短時間で組み付けられて全体の組付作業性がより一段と向上する。
【００２５】
【発明の実施の形態】
以下、本発明の一実施形態を図面に基づいて説明する。
【００２６】
図１は本発明の一実施形態の防水コネクタに用いられるアウタハウジングとスペーサの仮係止状態において該スペーサの内部にインナハウジングを構成する複数の分割インナユニットを嵌合する前の状態を示す断面図、図２は同仮係止状態のスペーサの内部に複数の分割インナユニットを順次嵌合している状態を示す断面図、図３は同アウタハウジングとスペーサの仮係止状態を示す断面図、図４は同アウタハウジングとスペーサの本係止状態を示す断面図、図５は同アウタハウジングの背面図である。
【００２７】
図１〜図４に示すように、防水コネクタ１０のコネクタハウジング１１は、前記先行技術と同様に、複数の端子収容室１３を一体形成した合成樹脂製のインナハウジング１２と、このインナハウジング１２を内部に嵌め込む合成樹脂製のアウタハウジング１７と、これらインナハウジング１２とアウタハウジング１７との間に介在され、該インナハウジング１２の各端子収容室１３に収容された雌端子（端子）１４を保持する合成樹脂製のスペーサ２８とで構成されている。
【００２８】
ここで、図１〜図５に示すように、インナタハウジング１２は、水平方向（左右方向）に複数の端子収容室１３をそれぞれ形成した上，中，下段の合体自在な分割インナユニット１２Ａ，１２Ｂ，１２Ｃとで構成されている。そして、アウタハウジング１７の各電線挿通孔２１と各ゴム栓１８の電線挿通孔１８ｂ及びスペーサ２８の各電線挿通孔３３を貫通した各電線２０は、インナハウジング１２を構成する各分割インナユニット１２Ａ，１２Ｂ，１２Ｃの各端子収容室１３に収容された雌端子の各一対の圧接刃１４ｂ，１４ｂにそれぞれ圧接接続されるようになっている。
【００２９】
また、各分割インナユニット１２Ａ，１２Ｂ，１２Ｃはスペーサ２８の胴体部２８ａの内部に収容されると合体されるようになっている。即ち、図２，図４に示すように、スペーサ２８の胴体部２８ａ内に上段の分割インナユニット（スペーサ側の分割インナユニット）１２Ａを収容して該スペーサ２８をアウタハウジング１７の内壁部１７ａ内に完全に嵌め込むと、該アウタハウジング１７の内壁部１７ａの矩形の各係止孔（係止部）２３に上段の分割インナユニット１２Ａの箱部１２ａの各係止爪（係止部）１５が係止されるようになっている。これにより、スペーサ２８の胴体部２８ａの上壁の内面に突出した各突起２９により上段の分割インナユニット１２Ａの箱部１２ａの後端縁（係止部）１２ｅ及び各端子収容室１３に収容された雌端子１４の箱部１４ａの後端縁がそれぞれロックされて各端子収容室１３からの雌端子１４の脱落が確実に防止されるようになっている。
【００３０】
さらに、スペーサ２８の胴体部２８ａ内の上段の分割インナユニット１２Ａの下側に中段の分割インナユニット（中間に位置する分割インナユニット）１２Ｂを収容すると、該上段の分割インナユニット１２Ａの水平壁１２ｂの下面の突起（係止部）１２ｆに中段の分割インナユニット１２Ｂの箱部１２ａの後端縁（係止部）１２ｅ及び中段の分割インナユニット１２Ｂの各端子収容室１３に収容された雌端子１４の箱部１４ａの後端縁がそれぞれ当接されて中段の分割インナユニット１２Ｂの各端子収容室１３からの雌端子１４の脱落が確実に防止されるようになっている。
【００３１】
さらに、スペーサ２８の胴体部２８ａ内の中段の分割インナユニット１２Ｂの下側に下段の分割インナユニット（スペーサ側の分割インナユニット）１２Ｃを収容すると、該中段の分割インナユニット１２Ｂの水平壁１２ｂの下面の突起（係止部）１２ｆに下段の分割インナユニット１２Ｃの箱部１２ａの後端縁（係止部）１２ｅ及び下段の分割インナユニット１２Ｃの各端子収容室１３に収容された雌端子１４の箱部１４ａの後端縁がそれぞれ当接されて下段の分割インナユニット１２Ｃの各端子収容室１３からの雌端子１４の脱落が確実に防止されるようになっている。また、スペーサ２８の胴体部２８ａ内に下段の分割インナユニット１２Ｃを収容して該スペーサ２８をアウタハウジング１７の内壁部１７ａ内に完全に嵌め込むと、図４に示すように、アウタハウジング１７の内壁部１７ａの矩形の各係止孔（係止部）２３に下段の分割インナユニット１２Ｃの水平壁１２ｂの各係止爪（係止部）１５が係止されるようになっている。これらにより、スペーサ２８の胴体部２８ａ内に収容されて合体した各分割インナユニット１２Ａ，１２Ｂ，１２Ｃは、スペーサ２８がアウタハウジング１７の内壁部１７ａ内に完全に嵌め込まれるとロックされてスペーサ２８の胴体部２８ａ内から脱落しないようになっている。この際、スペーサ２８の図示しない係止爪（係止部）もアウタハウジング１７の係止孔２３に係止されるようになっている。
【００３２】
尚、上段及び中段の各分割インナユニット１２Ａ，１２Ｂの各突起１２ｆは各水平壁１２ｂの下面に一体突出形成されている。また、上段の分割インナユニット１２Ａのアウタハウジング１７の内壁部１７ａの上側の各係止孔２３に係脱される各突起１５は箱部１２ａの上面側に一体突出形成されていると共に、下段の分割インナユニット１２Ｃのアウタハウジング１７の内壁部１７ａの下側の各係止孔２３に係脱される各突起１５は水平壁１２ｂの下面側に一体突出形成されている。
【００３３】
図１〜図４に示すように、アウタハウジング１７の底壁部（一壁部）１７ｃの内側の各ゴム栓収容凹部１９の入口側には逆円錐面（テーパ面）１９ａを形成してある。また、スペーサ２８の底壁部（一壁部）２８ｃの外側の各電線挿通孔３３の回りにはゴム栓押圧部を兼ねた凹状のゴム栓保持部２８ｅを形成してある。そして、アウタハウジング１７の各ゴム栓収容凹部１９にゴム栓１８を収容する前（アウタハウジング１７の内壁部１７ａ内にスペーサ２８の胴体部２８ａの前側が嵌め込まれた図１〜図３に示す仮係止状態の時）に、上記各ゴム栓収容凹部１９の逆円錐面１９ａと上記スペーサ２８の各電線挿通孔３３の回りの凹状のゴム栓保持部２８ｅとの間にゴム栓１８を挟み込み自在にしてあり、各分割インナユニット１２Ａ，１２Ｂ，１２Ｃをスペーサ２８の胴体部２８ａ内に収容して合体させた後でゴム栓１８を各ゴム栓収容凹部１９に収容自在にしてある。
【００３４】
また、図１に示すように、電線２０が貫通するゴム栓１８の両側には円錐面（テーパ面）１８ａ，１８ａをそれぞれ形成してある。このゴム栓１８の内径（即ちゴム栓１８の電線挿通孔１８ｂの径）は電線２０の直径と等しいか大きくなるように設定してある。また、ゴム栓１８の外径はゴム栓収容凹部１９の径よりも大きくなるように形成してあり、ゴム栓収容凹部１９内でシール関係が成立するように設定してある。さらに、ゴム栓１８の両端側は小径部１８ｃ，１８ｃになっている。そして、このゴム栓１８の両端側の小径部１８ｃ，１８ｃはアウタハウジング１７の内壁部１７ａ内にスペーサ２８の胴体部２８ａの前側が嵌め込まれた仮係止状態の時に、各ゴム栓収容凹部１９及びスペーサ２８の凹状のゴム栓保持部２８ｅ内に収容自在になっている。尚、他の構成は前記先行技術の防水コネクタ１０′と同様であるので、同一構成部分には同一符号を付して説明を省略する。
【００３５】
以上実施形態の防水コネクタ１０を組み付ける場合には、コネクタハウジング１１の外側を成すアウタハウジング１７の内壁部１７ａのパッキン受部２５に、パッキン２４を予め挿入してセットしておく。
【００３６】
次に、図１に示すように、アウタハウジング１７の底壁部１７ｃの内側の各ゴム栓収容凹部１９の逆円錐面１９ａとスペーサ２８の底壁部２８ｃの各電線挿通孔３３の外側の凹状のゴム栓保持部２８ｅとの間で各ゴム栓１８を挟み込むようにして該スペーサ２８をアウタハウジング１７の内壁部１７ａ内に嵌め込んで仮係止させておく。即ち、各ゴム栓１８をアウタハウジング１７の底壁部１７ｃの内側の各ゴム栓収容凹部１９内に完全に収容せずに、各ゴム栓１８の両端の小径部１８ｃ，１８ｃを該各ゴム栓収容凹部１９の逆円錐面１９ａとスペーサ２８の底壁部２８ｃの各電線挿通孔３３の回りの凹状のゴム栓保持部２８ｅとの間で挟み込むようにしてスペーサ２８の胴体部２８ａの前側をアウタハウジング１７の内壁部１７ａ内に嵌め込んで仮係止させておく。
【００３７】
次に、アウタハウジング１７の底壁部１７ｃの複数の電線挿通孔２１と各ゴム栓１８の電線挿通孔１８ｂ及びスペーサ２８の底壁部２８ｃの各電線挿通孔３３に各電線２０を外側（外部）から貫通させる。次に、図２に示すように、この各電線２０をコネクタハウジング１１の内側を成すインナハウジング１２の各分割インナユニット１２Ａ，１２Ｂ，１２Ｃの各端子収容室１３に収容した各雌端子１４の一対の圧接刃１４ｂ，１４ｂに圧接接続した後、スペーサ２８の胴体部２８ａの内部に上段の分割インナユニット１２Ａから順に中，下段の分割インナユニット１２Ｂ，１２Ｃを順次嵌め込んでスペーサ２８の胴体部２８ａ内でインナハウジング１２を合体形成する。この際に、各分割インナユニット１２Ａ，１２Ｂ，１２Ｃに接続された各電線２０をスペーサ２８の底壁部２８ｃの各電線挿通孔３３とアウタハウジング１７の底壁部１７ｃの各電線挿通孔２１に対して摺動させながら、図３に示すように、スペーサ２８の胴体部２８ａ内に各分割インナユニット１２Ａ，１２Ｂ，１２Ｃを順次嵌め込むことにより合体させる。
【００３８】
次に、図４に示すように、スペーサ２８の胴体部２８ａをアウタハウジング１７の内壁部１７ａ内に完全に嵌め込んで本係止させると、該スペーサ２８の底壁部２８ｃの各ゴム栓保持部２８ｅで各ゴム栓１８を各ゴム栓収容凹部１９に押圧収容すると共に、上，下段の分割インナユニット１２Ａ，１２Ｃの各係止部１５がアウタハウジング１７の各係止孔２３に係止されることにより、各ゴム栓１８で各電線２０がシールされた防水コネクタ１０の組み付けが完了する。
【００３９】
このように、インナハウジング１２を構成する各分割インナユニット１２Ａ，１２Ｂ，１２Ｃを、アウタハウジング１７の内壁部１７ａ内にゴム栓１８を介して仮係止状態で嵌合されたスペーサ２８の胴体部２８ａ内に順次嵌め込むようにしたので、ゴム栓１８を多数用いる場合でも、各ゴム栓１８と各電線２０の摺動摩擦力を分散することができ、電線２０を座屈させることなくスムーズに組み付けて作業負荷（嵌合荷重）を軽減することができる。これにより、防水性に優れた多極の防水コネクタ１０を簡単かつ短時間で組み付けることができる。即ち、複数の電線２０が束ねられて構成されるワイヤハーネスの製造を容易にすることができて全体の組付作業性をより一段と向上させることができる。さらに、スペーサ２８のゴム栓保持部２８ｅによりゴム栓１８をアウタハウジング１７の各ゴム栓収容凹部１９にスムーズかつ確実に収容することができるので、防水コネクタ１０のシール性を向上させることができる。
【００４０】
また、各分割インナユニット１２Ａ，１２Ｂ，１２Ｃの合体後、アウタハウジング１７の内壁部１７ａ内に嵌め込まれてゴム栓１８を介して仮係止状態のスペーサ２８を該アウタハウジング１７の内壁部１７ａに完全に嵌め込んで本係止する際に、アウタハウジング１７の各ゴム栓収容凹部１９に対してゴム栓１８を容易かつ確実に収容することができると共に、その本係止状態をスペーサ２８側の各分割インナユニット１２Ａ，１２Ｃの各突起１５とアウタハウジング１７の各係止孔２３との係止により容易かつ確実に維持することができる。これにより、防水コネクタ１０の組付品質を向上させることができる。
【００４１】
尚、前記実施形態によれば、圧接端子に電線を圧接接続する場合について説明したが、端子は圧接端子に限らず、圧着端子に電線を圧着接続する場合にも前記各実施形態を適用できることは勿論である。
【００４２】
【発明の効果】
以上説明したように、請求項１の発明の防水コネクタによれば、電線をスペーサ及びアウタハウジングの各電線挿通孔に対して摺動させてインナハウジングをアウタハウジングの内部に嵌合されたスペーサに嵌め込む際に、アウタハウジングの各ゴム栓収容凹部のテーパ面とスペーサの各電線挿通孔の外側のゴム栓保持部との間に該ゴム栓が挟み込まれた仮係止状態となって、アウタハウジングの各ゴム栓収容凹部にゴム栓が完全に収容される前に電線がスペーサ及びアウタハウジングの各電線挿通孔に対してスムーズに摺動すると共に、インナハウジングを合体自在な複数の分割インナユニットで構成してゴム栓と電線の摺動摩擦力を分散することができるので、ゴム栓の数が多い場合でも各ゴム栓の圧迫による各電線の座屈の発生を防止することができ、防水コネクタの組付作業性を向上させることができる。即ち、ワイヤハーネスの製造を容易にすることができる。また、スペーサのゴム栓保持部によりゴム栓をアウタハウジングの各ゴム栓収容凹部にスムーズかつ確実に収容することができるので、防水コネクタのシール性を向上させることができる。
【００４３】
請求項２の発明の防水コネクタによれば、各分割インナユニットの合体後、アウタハウジングの内部に嵌め込まれてゴム栓を介して仮係止状態のスペーサを該アウタハウジングの内部に完全に嵌め込んで本係止する際に、アウタハウジングの各ゴム栓収容凹部に対してゴム栓を容易かつ確実に収容することができると共に、その本係止状態をスペーサ側の各分割インナユニットの各係止部とアウタハウジングの各係止部との係止により容易かつ確実に維持することができる。これにより、防水コネクタの組付品質を向上させることができる。
【００４４】
請求項３の発明の防水コネクタの組付方法によれば、インナハウジングを構成する複数の分割インナユニットを、アウタハウジングの内部にゴム栓を介して仮係止状態で嵌合したスペーサに順次嵌め込むようにしたので、ゴム栓を多数用いる場合でも、各ゴム栓と各電線の摺動摩擦力を分散することができ、電線を座屈させることなくスムーズに組み付けて作業負荷を軽減することができる。これにより、防水性に優れた多極の防水コネクタを簡単かつ短時間で組み付けることができて全体の組付作業性をより一段と向上させることができる。
【図面の簡単な説明】
【図１】本発明の一実施形態の防水コネクタに用いられるアウタハウジングとスペーサの仮係止状態において該スペーサの内部にインナハウジングを構成する複数の分割インナユニットを嵌合する前の状態を示す断面図である。
【図２】上記仮係止状態のスペーサの内部に複数の分割インナユニットを順次嵌合している状態を示す断面図である。
【図３】上記アウタハウジングとスペーサの仮係止状態を示す断面図である。
【図４】上記アウタハウジングとスペーサの本係止状態を示す断面図である。
【図５】上記アウタハウジングの背面図である。
【図６】先行技術の防水コネクタのアウタハウジングとスペーサの仮係止状態を示す断面図である。
【図７】上記先行技術の防水コネクタのアウタハウジングとスペーサの本係止状態を示す断面図である。
【図８】上記先行技術の防水コネクタの要部の拡大説明図である。
【符号の説明】
１０  防水コネクタ
１１  コネクタハウジング
１２  インナハウジング
１２Ａ，１２Ｂ，１２Ｃ  分割インナユニット
１２ｅ  後端部（係止部）
１２ｆ  突起（係止部）
１３  端子収容室
１４  雌端子（端子）
１５  突起（係止部）
１７  アウタハウジング
１７ｃ  底壁部（一壁部）
１８  ゴム栓
１８ｂ  電線挿通孔
１９  ゴム栓収容凹部
１９ａ  逆円錐面（テーパ面）
２０  電線
２１  電線挿通孔
２３  係止孔（係止部）
２８  スペーサ
２８ｃ  底壁部（一壁部）
２８ｅ  ゴム栓保持部
３３  電線挿通孔
【図１】
0003647674.tif 000002
【図２】
0003647674.tif 000003
【図３】
0003647674.tif 000004
【図４】
0003647674.tif 000005
【図５】
0003647674.tif 000006
【図６】
0003647674.tif 000007
【図７】
0003647674.tif 000008
【図８】
0003647674.tif 000009